(57)【要約】【課題】温度表示部の目盛の読み取りが容易である耐候光試験装置用ブラックパネル温度計を提供すること。【解決手段】温度表示部を有し、点灯回路に接点機構及び表示部照明用電源を有する表示部照明用ランプを配設したブラックパネル温度計であって、耐候光試験装置本体の窓枠部内側に該接点機構をＯＮ／ＯＦＦさせる機能を有する手段を有し、ブラックパネル温度計を懸下させた試料枠が自動回転して耐候光試験装置本体の窓部から該ブラックパネル温度計が観察可能な間、該接点機構をＯＮにして、温度表示部に表示部照明用ランプの光を照射させて表示温度の読み取りを容易ならしめるようにする。【選択図】　図１
2004085336.tif 000002
【特許請求の範囲】
【請求項１】
温度表示部を有し、点灯回路に接点機構及び表示部照明用電源を有する表示部照明用ランプを配設したブラックパネル温度計であって、耐候光試験装置本体の窓枠部内側に該接点機構をＯＮ／ＯＦＦさせる機能を有する手段を有し、ブラックパネル温度計を懸下させた試料枠が自動回転して耐候光試験装置本体の窓部から該ブラックパネル温度計が観察可能な間、該接点機構をＯＮにして、温度表示部に表示部照明用ランプの光を照射させて表示温度の読み取りを容易ならしめるようにすることを特徴とする耐候光試験装置用ブラックパネル温度計。
【請求項２】
さらに、温度表示部が試料枠の外方向に向けて取り付けてあることを特徴とする請求項１記載の耐候光試験装置用ブラックパネル温度計。
【請求項３】
上記表示部照明用電源が、乾電池又は放電ランプの方向に向けた太陽電池であることを特徴とする請求項１又は請求項２記載の耐候光試験装置用ブラックパネル温度計。
【請求項４】
温度表示部を試料枠の外方向に向けて取り付け、表示温度の読み取りを容易ならしめるようにすることを特徴とする耐候光試験装置用ブラックパネル温度計。
【発明の詳細な説明】
【０００１】
【発明の属する技術分野】
本発明は、耐候光試験装置用ブラックパネル温度計に関する。
【０００２】
【従来の技術】
従来の耐候光試験装置用ブラックパネル温度計としては、本出願人による特開２００１−１４７１９２号公報に記載されているように、温度表示部が上向きであった。試験中にブラックパネル温度を測定するためには、試験装置本体の窓部から、回転する試料回転枠に取り付けたブラックパネル温度計の温度表示部の目盛を、窓部からブラックパネル温度計の表示部が見える０．８〜２秒程度の間に読み取る必要がある。しかし、試験中は、放電ランプの強い光が試験槽中央から全方向に放射されており、ブラックパネル温度計の温度表示部は、逆光のため、読み取りが困難であるという問題点があった。さらに、温度表示部が上を向いているため、表示温度を観察する際、水平に近い角度で目盛を読み取る必要があり、また、窓部の高さが目線より高くなる試験装置もあるため、読み取りが困難であるという問題点があった。
【０００３】
また、別の、従来の耐候光試験装置用ブラックパネル温度計として、本出願人による実公昭４６−３６６２４号公報に記載されているような、円柱状目盛部を有するものがある。しかし、試験中は、放電ランプの強い光が試験槽中央から全方向に放射されており、ブラックパネル温度計の温度表示部は、逆光のため、読み取りが困難であるという問題点があった。さらに、温度表示部が円柱状であるため、指針が真正面にある一瞬しか正確な目盛を読めず、正確な温度を読み取ることが非常に困難であるという問題点があった。
【０００４】
【発明が解決しようとする課題】
本発明は、かかる問題を鑑みてなされたものであり、したがって、本発明の目的は、温度表示部の目盛の読み取りが容易である耐候光試験装置用ブラックパネル温度計を提供することにある。本発明者らは、上記の目的を達成するために鋭意研究を重ねた結果、試行錯誤の上、本発明を完成するに至った。
【０００５】
【課題を解決するための手段】
上記目的を達成するために、本発明の耐候光試験装置用ブラックパネル温度計は、温度表示部を有し、点灯回路に接点機構及び表示部照明用電源を有する表示部照明用ランプを配設したブラックパネル温度計であって、耐候光試験装置本体の窓枠部内側に該接点機構をＯＮ／ＯＦＦさせる機能を有する手段を有し、ブラックパネル温度計を懸下させた試料枠が自動回転して耐候光試験装置本体の窓部から該ブラックパネル温度計が観察可能な間、該接点機構をＯＮにして、温度表示部に表示部照明用ランプの光を照射させて表示温度の読み取りを容易ならしめるようにすることを特徴とするものである。
【０００６】
接点機構としては、例えば、リードリレーがある。該接点機構をＯＮ／ＯＦＦさせる機能を有する手段としては、例えば、耐候光試験装置本体の窓枠部内側に磁石がある。リードリレーと磁石の組合せにおいては、ブラックパネル温度計を懸下させた試料枠が回転して耐候光試験装置本体の窓部から該ブラックパネル温度計が観察可能な間に、該磁石が有する磁界内に該リードリレーが通過することによる電磁誘導スイッチング作用により、温度表示部に表示部照明用ランプの光を照射させて表示温度の読み取りを容易ならしめる。
【０００７】
本発明において、さらに、温度表示部が試料枠の外方向に向けて取り付けてあることが好ましい。
【０００８】
また、上記表示部照明用電源が、乾電池又は放電ランプの方向に向けた太陽電池であることがより好ましい。
【０００９】
なお、請求項４記載の発明は、温度表示部を試料枠の外方向に向けて取り付け、表示温度の読み取りを容易ならしめるようにすることを特徴とするものである。
【００１０】
【実施例】
以下、本発明の実施例について、図面を参照して詳細に説明する。
【００１１】
図１は、本発明の耐候光試験装置用ブラックパネル温度計の実施例１の正面図である。また、図２は、本発明の耐候光試験装置用ブラックパネル温度計の実施例１の右側面図である。また、図３は、本発明の耐候光試験装置用ブラックパネル温度計の実施例１を組み込んだ耐候光試験装置の構成図である。本発明の実施例１の耐候光試験装置用ブラックパネル温度計（１６）は、上向きの温度表示部（１）、温度表示部（１）を上部から照らすように取り付けた複数個の表示部照明用ランプ（４）、黒板（２）、及び測温体保護管（３）を有する構成となっている。表示部照明用ランプ（４）としては、発光ダイオード、電球等の光源がある。本発明の耐候光試験装置用ブラックパネル温度計の実施例１では、発光ダイオードを用いた。表示部照明用ランプ（４）には、リード線（７）を介し、リードリレー（１３）、乾電池（５）が接続されている。耐候光試験装置本体の窓枠（１０）部内側に、表示照明用接点機構をＯＮ／ＯＦＦさせる手段として、磁石（１２）が取り付けてある。
【００１２】
なお、図１〜図３、及び図７〜図９においては、耐候光試験装置用ブラックパネル温度計を試料ホルダー（１５）に取り付けた形で示しており、また、試料ホルダー（１５）を試料枠に懸架させたときに、放電ランプ側を裏面、窓部（９）から見える側を正面とする。
【００１３】
図４は、本発明の耐候光試験装置用ブラックパネル温度計の実施例１の点灯原理図である。表示部照明用ランプ（４）には、表示部照明用電源として乾電池（５）が接続されている。電源は乾電池に限らないが、軽量でコンパクトであること、また、必要な電力が小さいことから、乾電池は適している。各表示部照明用ランプ（４）の片側のリード線（７）は並列に接続され、接続器で１本にまとめられて乾電池（５）が接続されている。各表示部照明用ランプ（４）の他端のリード線（７）は並列接続され、接続器で１本にまとめられて、リードリレー（１３）を介して、乾電池（５）が接続されている。リードリレー（１３）内部には接点（１４ａ、１４ｂ）がある。リードリレーは、接点機構としての役割を果たす。
【００１４】
リードリレー以外に、半導体リレー、近接スイッチも接点機構として用いることができる。表示照明用接点機構をＯＮ／ＯＦＦさせる手段としては、半導体リレーを接点機構として用いるときは、半導体を用いることができ、近接スイッチを接点機構として用いるときは、検知板等を用いることができる。
【００１５】
図４の（Ａ）で示したように、通常状態では、接点（１４ａ）と接点（１４ｂ）は、離れており、通電していないため、表示部照明用ランプ（４）は点灯しない。しかし、磁石（１２）が近くにある間は、図４の（Ｂ）で示したように、磁石の磁界により、電磁誘導によるスイッチング作用で、接点（１４ａ）と接点（１４ｂ）は接触し、点灯回路に通電し、表示部照明用ランプ（４）が点灯する。すなわち、回転している試料ホルダーに取り付けられた耐候光試験装置用ブラックパネル温度計の温度表示部が耐候光試験装置本体の窓から見える間だけ、図４の（Ａ）の状態から図４の（Ｂ）の状態になり、窓枠部内側の磁石（１２）により、表示部照明用ランプ（４）のリード線（７）に設けられたリードリレー（１３）内の接点（１４ａ、１４ｂ）が接触して、表示部照明用ランプ（４）が点灯し、耐候光試験装置用ブラックパネル温度計の温度表示部の表示温度を読み取りやすくする。試料枠の回転により温度表示部が耐候光試験装置本体の窓から見えない位置に移動すると、リードリレー（１３）は必然的に窓枠部内側の磁石（１２）と離れることになり、したがって、表示部照明用ランプ（４）は消灯する。耐候光試験装置本体の窓から見える間だけ表示部照明用ランプ（４）を点灯させるため、試験中、始終点灯させている場合と比べ、電気量は８４％で済む。
【００１６】
表示部照明用ランプ（４）の数は、３つに限らず、任意であるが、多いほど明るくなる。リード線（７）及び乾電池（５）は、試料ホルダー（１５）の正面側、すなわち、窓から見える側（放電ランプ側とは反対側）に配置し、表示部照明用ランプ（４）及びリード線（７）の残りの部分は、放電ランプ（１１）から光が照射されないように遮光保護してある。光により表示部照明用ランプ（４）及びリード線（７）が劣化するのを防止するためである。
【００１７】
よって、本発明の実施例１によれば、放電ランプ（１１）からの光により逆光で見えにくくなっていた温度の読み取りを容易ならしめる。
【００１８】
なお、温度表示部（１）の透明カバー前面を凸レンズ状に加工することによりさらに目盛を読みやすくすることも効果を増大させる。
【００１９】
図５は、本発明の耐候光試験装置用ブラックパネル温度計の実施例２の正面図である。図６は、本発明の耐候光試験装置用ブラックパネル温度計の実施例２の右側面図である。本発明の実施例２においては、耐候光試験装置用ブラックパネル温度計（１６）を試料枠に懸架させて耐候光試験装置本体の窓部から見た際に温度表示部（１）が正面に来るように、温度表示部（１）を試料枠の外方向に向けて取り付けてある。
【００２０】
本発明の実施例２によれば、温度表示部（１）が上向きに取り付けてある耐候光試験装置用ブラックパネル温度計よりも、正面からあるいは斜め下方向からの温度の読み取りが容易であるので、ブラックパネル温度計が窓部から見える短時間の間に容易に温度を読み取ることができる。
【００２１】
なお、温度表示部（１）の文字盤の目盛及び数字に蛍光塗料を塗って、さらに目盛を読みやすくすることも効果を増大させる。
【００２２】
図７は、本発明の耐候光試験装置用ブラックパネル温度計の実施例３の正面図である。図８は、本発明の耐候光試験装置用ブラックパネル温度計の実施例３の側面図である。本発明の実施例３では、耐候光試験装置用ブラックパネル温度計（１６）を試料枠に懸下させて耐候光試験装置本体の窓部（９）から見た際に温度表示部（１）が正面に来るように、温度表示部（１）を試料枠の外向きに取り付けてあるブラックパネル温度計であって、しかも、ブラックパネル温度計を懸架させた試料枠が自動回転して、耐候光試験装置本体の窓部（９）から該ブラックパネル温度計が見える間、温度表示部を表示部照明用ランプ（４）の光が照らして、温度の読み取りを容易ならしめるように、窓枠（１０）部内側の磁石（１２）により、表示部照明用ランプ（４）のリード線（７）に設けられたリードリレー（１３）内の接点（１４ａ、１４ｂ）が接触して、表示部照明用ランプ（４）が点灯し、耐候光試験装置用ブラックパネル温度計（１６）の温度表示部（１）の表示温度を読み取りやすくする。
【００２３】
本発明の実施例３によれば、正面や斜め下方からも温度表示部を見ることができるために目盛を読み取りやすく、また、表示部照明用ランプの光で温度表示部を照らすために更に目盛を読み取りやすい。
【００２４】
図９は、本発明の耐候光試験装置用ブラックパネル温度計の実施例４の構成図である。本発明の実施例１における乾電池の代わりに、太陽電池（６）を取り付けて、リードリレー（１３）と磁石（１２）が対面する間、通電し、ランプを点灯する。乾電池と異なり、太陽電池（６）は、試料ホルダー（１５）の裏面側、すなわち放電ランプ（１１）からの光があたる位置に設置し、放電ランプ（１１）点灯中は表示部照明用電源として利用できる。太陽電池（６）として、本発明の耐候光試験装置用ブラックパネル温度計の実施例４においては、シリコンフォトセルを用いた。
【００２５】
本発明の実施例４によれば、試験中、太陽電池（６）に放電ランプ（１１）から光が照射されているので、表示温度が読み取りやすいだけでなく、乾電池と異なり、電池切れにより表示部照明用ランプ（４）が点灯しなくなる心配がなく、また、光エネルギー資源を無駄なく利用できるという利点がある。
【００２６】
【発明の効果】
本発明の耐候光試験装置用ブラックパネル温度計は、上述したとおりであるので、ブラックパネル温度計の温度表示部の目盛の読み取りが容易である。
【図面の簡単な説明】
【図１】本発明の耐候光試験装置用ブラックパネル温度計の実施例１の正面図である。
【図２】本発明の耐候光試験装置用ブラックパネル温度計の実施例１の右側面図である。
【図３】本発明の耐候光試験装置用ブラックパネル温度計の実施例１を組み込んだ耐候光試験装置の構成図である。
【図４】本発明の耐候光試験装置用ブラックパネル温度計の実施例１の点灯原理図である。
【図５】本発明の耐候光試験装置用ブラックパネル温度計の実施例２の正面図である。
【図６】本発明の耐候光試験装置用ブラックパネル温度計の実施例２の右側面図である。
【図７】本発明の耐候光試験装置用ブラックパネル温度計の実施例３の正面図である。
【図８】本発明の耐候光試験装置用ブラックパネル温度計の実施例３の側面図である。
【図９】本発明の耐候光試験装置用ブラックパネル温度計の実施例４の構成図である。
【符号の説明】
１　温度表示部
２　黒板
３　測温体保護管
４　表示部照明用ランプ
５　乾電池
６　太陽電池
７　リード線
８　耐候光試験装置
９　窓部
１０　窓枠
１１　放電ランプ
１２　磁石
１３　リードリレー
１４　接点
１５　試料ホルダー
１６　耐候光試験装置用ブラックパネル温度計
【図１】
2004085336.tif 000003
【図２】
2004085336.tif 000004
【図３】
2004085336.tif 000005
【図４】
2004085336.tif 000006
【図５】
2004085336.tif 000007
【図６】
2004085336.tif 000008
【図７】
2004085336.tif 000009
【図８】
2004085336.tif 000010
【図９】
2004085336.tif 000011
【手続補正書】
【提出日】平成15年1月7日(2003.1.7)
【手続補正１】
【補正対象書類名】明細書
【補正対象項目名】特許請求の範囲
【補正方法】変更
【補正の内容】
【特許請求の範囲】
【請求項１】
温度表示部を有し、点灯回路に接点機構及び表示部照明用電源を有する表示部照明用ランプを配設したブラックパネル温度計であって、耐候光試験装置本体の窓枠部内側に該接点機構をＯＮ／ＯＦＦさせる機能を有する手段を有し、ブラックパネル温度計を懸下させた試料枠が自動回転して耐候光試験装置本体の窓部から該ブラックパネル温度計が観察可能な間、該接点機構をＯＮにして、温度表示部に表示部照明用ランプの光を照射させて表示温度の読み取りを容易ならしめるようにすることを特徴とする耐候光試験装置用ブラックパネル温度計。
【請求項２】
さらに、温度表示部が試料枠の外方向に向けて取り付けてあることを特徴とする請求項１記載の耐候光試験装置用ブラックパネル温度計。
【請求項３】
上記表示部照明用電源が、乾電池又は放電ランプの方向に向けた太陽電池であることを特徴とする請求項１又は請求項２記載の耐候光試験装置用ブラックパネル温度計。
【手続補正２】
【補正対象書類名】明細書
【補正対象項目名】０００９
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】図５
【補正方法】削除
【補正の内容】
【手続補正６】
【補正対象書類名】明細書
【補正対象項目名】図６
【補正方法】削除
【補正の内容】
【手続補正７】
【補正対象書類名】図面
【補正対象項目名】図５
【補正方法】削除
【補正の内容】
【手続補正８】
【補正対象書類名】図面
【補正対象項目名】図６
【補正方法】削除
【補正の内容】